(57)【要約】【課題】周囲の安全を確保できるとともに矢が破損し難い防矢ユニットを提供する。【解決手段】アーチェリー場に設置されアーチェリーの矢の破損防止及び周囲の安全確保を図る防矢ユニット１００であって、合成樹脂繊維で編まれてなる防矢ネット１で形成された袋状のネット袋体１０と、ネット袋体１０に脱落不能に嵌入された緩衝材２０と、を備え、ネット袋体１０は、二枚の防矢ネット１が重ねられその外側全周が閉じられてなるとともに、緩衝材２０はポリエチレン発泡材からなり、厚さが５ｍｍ以上で、かつ硬度がアスカーＣ３０〜７５である。【選択図】図１
2016202314.tif 000002
【特許請求の範囲】
【請求項１】
アーチェリー場に設置され、的から逸れたアーチェリーの矢を受ける防矢ユニットであって、
合成樹脂繊維で編まれてなる防矢ネットで形成された袋状のネット袋体と、
前記ネット袋体に脱落不能に嵌入された緩衝材と、を備えることを特徴とする防矢ユニット。
【請求項２】
前記ネット袋体は、二枚の前記防矢ネットが重ねられその外側全周が閉じられてなることを特徴とする請求項１に記載の防矢ユニット。
【請求項３】
前記緩衝材はポリエチレン発泡材からなることを特徴とする請求項１又は２に記載の防矢ユニット。
【請求項４】
前記緩衝材は、厚さが５ｍｍ以上で、かつ硬度がアスカーＣ３０〜７５であることを特徴とする請求項１乃至３のうちいずれか一つに記載の防矢ユニット。
【請求項５】
前記ネット袋体の縁部にハトメが複数取付けられたことを特徴とする請求項１乃至４のうちいずれか一つに記載の防矢ユニット。
【発明の詳細な説明】
【技術分野】
【０００１】
本発明は、アーチェリー場に設置され、的から逸れたアーチェリーの矢を受ける防矢ユニットに関するものである。
【背景技術】
【０００２】
弓道やアーチェリーでは全ての矢が的に当たるわけではなく、矢が大きく的から逸れることもあるので、その逸れた矢を受けるために、アーチェリー場等には防矢ネットが設置されている（例えば、特許文献１参照）。
【先行技術文献】
【特許文献】
【０００３】
【特許文献１】登録実用新案第３１４３１５１号公報
【０００４】
このような防矢ネット１は、図３及び図４に示すようにポリエステル製の網であり、設置し易いように外周にはハトメが取付けられている。
また、網の目は矢のシャフトの太さよりも細かい。
図３及び図４の防矢ネット１を一単位として、アーチェリー場の大きさに適した枚数だけ用いられ、支柱間に防矢ネット１が設置される。
【０００５】
このような防矢ネット１では、的から逸れたアーチェリーの矢を受けることができるので、周囲の安全を確保することができる。
また、網の目がシャフトの太さより細かいので、矢を貫通させないので、矢の羽根か破損し難い。
【０００６】
また、網の目で矢を受けるので、硬い板体や壁体で矢を受ける場合に比べて矢の先端部も破損し難い。
【発明の概要】
【発明が解決しようとする課題】
【０００７】
しかしながら、近年ではアーチェリーの矢の改良が進むことで矢の直進性が増し、それに伴って矢の速度が上がってきたので、従来の防矢ネット１では貫通してしまうおそれがある。
【０００８】
そこで、本発明の目的とするところは、周囲の安全を確保できるとともに矢が破損し難い防矢ユニットを提供することにある。
【課題を解決するための手段】
【０００９】
上記の目的を達成するために、本発明の請求項１に記載の防矢ユニット（１００）は、アーチェリー場に設置されアーチェリーの矢の破損防止及び周囲の安全確保を図る防矢ユニット（１００）であって、合成樹脂繊維で編まれてなる防矢ネット（１）で形成された袋状のネット袋体（１０）と、前記ネット袋体（１０）に脱落不能に嵌入された緩衝材（２０）と、を備えることを特徴とする。
【００１０】
また、請求項２に記載の防矢ユニット（１００）は、前記ネット袋体（１０）は、二枚の前記防矢ネット（１）が重ねられその外側全周が閉じられてなることを特徴とする。
【００１１】
また、請求項３に記載の防矢ユニット（１００）は、前記緩衝材（２０）はポリエチレン発泡材からなることを特徴とする。
【００１２】
また、請求項４に記載の防矢ユニット（１００）は、前記緩衝材（２０）は、厚さが５ｍｍ以上で、かつ硬度がアスカーＣ３０〜７５であることを特徴とする。
【００１３】
また、請求項５に記載の防矢ユニット（１００）は、前記ネット袋体（１０）の縁部にハトメ（１３）が複数取付けられたことを特徴とする。
【００１４】
ここで、上記括弧内の記号は、図面および後述する発明を実施するための形態に掲載された対応要素または対応事項を示す。
【発明の効果】
【００１５】
本発明の請求項１に記載の防矢ユニットによれば、合成樹脂繊維で編まれてなる防矢ネットで形成された袋状のネット袋体と、ネット袋体に脱落不能に嵌入された緩衝材と、を備えるので、表側の防矢ネットと緩衝材と裏側の防矢ネットの三層構造となる。よって、近年の直進性の向上した矢であってもその貫通を確実に防止できるので、周囲の安全を確保できる。それに伴い、矢の羽根の破損を防ぐこともできる。
【００１６】
また、請求項２に記載の防矢ユニットによれば、請求項１に記載の発明の作用効果に加え、ネット袋体は、二枚の防矢ネットが重ねられその外側全周が閉じられてなるので、中の緩衝材が落下してしまうことがなく、防矢ユニットの三層構造によって確実に安全性を確保できる。
【００１７】
また、請求項３に記載の防矢ユニットによれば、請求項１又は２に記載の発明の作用効果に加え、緩衝材はポリエチレン発泡材からなるので、矢を確実に止めることができるだけでなく、軽量である。よって、防矢ユニットの施工及び維持管理も容易である。
【００１８】
また、請求項４に記載の防矢ユニットによれば、請求項１乃至３に記載の発明の作用効果に加え、緩衝材は、厚さが５ｍｍ以上で、かつ硬度がアスカーＣ３０〜７５であるので、確実に矢を止めることができるだけでなく、矢の破損もない。
【００１９】
また、請求項５に記載の防矢ユニットによれば、請求項１乃至４に記載の発明の作用効果に加え、ネット袋体の縁部にハトメが複数取付けられたので、現場での施工が容易であるとともに施工後も防矢ユニットが脱落し難い。
【００２０】
なお、本発明の防矢ユニットのように、ネット袋体に脱落不能に嵌入された緩衝材を備える点は、上述した特許文献１には全く記載されていない。
【図面の簡単な説明】
【００２１】
【図１】本発明の実施形態に係る防矢ユニットを示す断面図である。
【図２】本発明の他の実施形態に係る防矢ユニットを示す正面図である。
【図３】従来例に係る防矢ネット及び本発明の実施形態に係る防矢ユニットを示す正面図である。
【図４】従来例に係る防矢ネットを示す断面図である。
【発明を実施するための形態】
【００２２】
図１及び図３を参照して、本発明の実施形態に係る防矢ユニット１００を説明する。
この防矢ユニット１００は、アーチェリー場に設置され、的から逸れたアーチェリーの矢を受けるものであって、ネット袋体１０と、緩衝材２０を備える。
従来例で示したものと同一部分には同一符号を付した。ここで、正面図においては本実施形態と従来例で同じように見える（図３参照）。
【００２３】
ネット袋体１０は、合成樹脂繊維（ここではポリエステル）で編まれてなる防矢ネット１が二枚重ねられ、その外側全周が閉じられて袋状となっている。
防矢ネット１はポリエステル製であるので、耐候性に優れており、紫外線による強度の低下は小さい。
【００２４】
ネット袋体１０（防矢ネット１）の外側全周が閉じられるタイミングは、後述の緩衝材２０が嵌入された後であり、防矢ネット１が製造された後に、緩衝材２０をネット袋体１０から取出す必要は通常生じないので、本実施形態ではネット袋体１０の外周が開いてしまうことのないように縫われている。
またここで用いられる防矢ネット１は、２１０Ｄ／３０本格で、升目大きさ３．２×２．９、充実率６２％である。
【００２５】
このネットの升目大きさは矢のシャフトの太さよりも小さく、矢がネット袋体１０（防矢ネット１）に衝突するときには防矢ネット１の目に矢が入り、防矢ネット１の目と矢の先端部又はシャフトとの間で摩擦力がはたらき、矢の推進力をゼロにする。
そして、閉じられた縁部は裏表の両面に合成樹脂シート１１が縫い合わされ又は貼着されて補強され、その合成樹脂シート１１及びネット袋体１０を貫通する貫通孔１２が一定の間隔で複数形成されている。
その貫通孔１２には、貫通孔１２の保護のためにハトメ１３がかしめられて取付けられている。
【００２６】
緩衝材２０は、ポリエチレン発泡材からなり、ネット袋体１０に脱落不能に嵌入されている。つまり、本実施形態に係る防矢ユニット１００は、表側の防矢ネット１と緩衝材２０と裏側の防矢ネット１の三層構造になっている。
このポリエチレン発泡材は厚さが５ｍｍ以上で、かつ硬度がアスカーＣ（ＡＳＫＥＲ  Ｃ）３０〜７５である。この硬度のとき、ポリエチレン発泡材の厚さは５０ｍｍもあれば十分である。
また、密度は０．０２５〜０．１５ｇ／ｃｍ3である。
【００２７】
緩衝材２０がネット袋体１０に嵌入されたときには、厚さ方向（図１における左右方向）には隙間が無い。一方、高さ方向（図１における上下方向）及び左右方向に関しては、若干隙間があるが、これはネット袋体１０の外周を閉じたときに生じる断面略三角形状の隙間であって、緩衝材２０がネット袋体１０の中で自由に動けるだけの隙間ではない。
【００２８】
このような防矢ユニット１００を一単位として、アーチェリー場において支柱間に複数設置される。そのとき、隣接する防矢ユニット１００同士はハトメ１３を介して連結される。
【００２９】
以上のように構成された防矢ユニット１００によれば、ポリエステルで編まれてなる防矢ネット１で形成された袋状のネット袋体１０と、ネット袋体１０に脱落不能に嵌入された緩衝材２０と、を備えるので、表側の防矢ネット１と緩衝材２０と裏側の防矢ネット１の三層構造となる。
よって、近年の直進性の向上した矢であってもその貫通を確実に防止できるので、周囲の安全を確保できる。それに伴い、矢の羽根の破損を防ぐこともできる。すなわち、矢は防矢ユニット１００を貫通することなく、矢の羽根が表側の防矢ネットまで達しないので、矢の羽根が損傷しない。
【００３０】
また、ネット袋体１０は、二枚の防矢ネット１が重ねられその外側全周が閉じられてなるので、中の緩衝材２０が落下してしまうことがなく、防矢ユニット１００の三層構造によって確実に安全性を確保できる。
【００３１】
また、緩衝材２０は、厚さが５ｍｍ以上で、かつ硬度がアスカーＣ３０〜７５であるので、確実に矢を止めることができるだけでなく、矢の破損もない。この硬度であると、矢が緩衝材２０に刺さったときに矢の先端部が破損してしまうこともない。
さらに、緩衝材２０はポリエチレン発泡材からなるので、矢を確実に止めることができるだけでなく、軽量である。よって、防矢ユニット１００の施工及び維持管理も容易である。
【００３２】
しかも、ネット袋体１０の縁部にハトメ１３が複数取付けられたので、施工が容易であるとともに施工後も防矢ユニット１００が脱落し難い。
【００３３】
なお、本実施形態において、ネット袋体１０の縁部にハトメ１３が複数取付けられたとしたが、これに限られるものではなく、図２に示すように補強用の合成樹脂シート１１やハトメ１３が無くてもよい。
【００３４】
また、ネット袋体１０は二枚の防矢ネット１が重ねられその外側全周が閉じられてなるとしたが、これに限られるものではなく、例えば一枚の防矢ネット１を二つ折りにして、その折り目以外の三方を縫い合わせてネット袋体１０を形成してもよい。
【００３５】
また、ネット袋体１０を構成する防矢ネット１の素材はポリエステルとしたが、他のナイロン等の合成樹脂繊維で編まれてなるものでもよい。
【００３６】
このときの防矢ネット１の仕様（規格）は本実施形態のものに限られず、例えば２１０Ｄ／６０本格であってもよい。
また、防矢ネット１の充実率は１４〜１００％であればよい。
升目大きさも３．２×２．９というのは例示であって、これだけに限られるものではない。
【００３７】
さらに、緩衝材２０はポリエチレン発泡材からなるとしたが、これに限られるものではなくウレタン発泡材、ポリエステル、ゴム等であってもよい。
また、貫通防止の観点においては、一枚の防矢ネット１と緩衝材２０で必要十分であるので、ネット袋体１０の裏側の素材は防矢ネット１に限られるものではない。但し、本実施形態のように裏表両面を防矢ネット１とすることで、防矢ユニット１００の施工時に裏表を気にする必要はない。
【符号の説明】
【００３８】
１      防矢ネット
１０      ネット袋体
１１      合成樹脂シート
１２      貫通孔
１３      ハトメ
２０      緩衝材
１００      防矢ユニット
【図１】
2016202314.tif 000003
【図２】
2016202314.tif 000004
【図３】
2016202314.tif 000005
【図４】
2016202314.tif 000006